(57)【要約】【課題】様々なトイレットペーパーホルダーに、容易に装着することができる芯無しのトイレットペーパーロールを提供する。【解決手段】芯材を用いることなくトイレットペーパー１１を巻き取ったトイレットペーパーロール１であって、芯材を用いたトイレットペーパーロールよりも内径の小さな貫通孔部１２をロール中心軸に有し、前記貫通孔部１２よりも径が大きく同心円となるディンプル部１４を該トイレットペーパーロール１の側面１３に設けたことを特徴とする。【選択図】図１
0003193779.tif 000002
【実用新案登録請求の範囲】
【請求項１】
芯材を用いることなくトイレットペーパーを巻き取ったトイレットペーパーロールであって、
芯材を用いたトイレットペーパーロールよりも内径の小さな貫通孔部をロール中心軸に有し、
側面に前記貫通孔部よりも径が大きく同心円となるディンプル部を設けた、
ことを特徴とするトイレットペーパーロール。
【請求項２】
前記ディンプル部は、
該芯材を用いていないトイレットペーパーロールをワンタッチ型のトイレットペーパーホルダーに格納したとき、奥端部が前記トイレットペーパーホルダーの支持部材先端と接する深さを有する、
ことを特徴とする請求項１に記載のトイレットペーパーロール。
【考案の詳細な説明】
【技術分野】
【０００１】
この考案は、芯材を備えていないトイレットペーパーロールに関するものである。
【背景技術】
【０００２】
いわゆる芯無しトイレットペーパーロールは、厚紙材等によって形成された円管状の芯材を用いることなくウエブをロール状に巻きあげたものである。
芯無しトイレットペーパーロールは、ウエブを巻軸等に巻き取り、所定量を巻き取った後、巻軸を引き抜くことによって製造されており、芯材を有するものと同様な孔部をロール中心部分に設けている（例えば、特許文献１参照）。
また、芯無しトイレットペーパーロールには、外寸についてＪＩＳ規格を遵守しながら少しでも多くのトイレットペーパーを巻きあげるため、前述の孔部を小径にしたものがある。
このように孔部の径を小さく形成した場合には、専用に構成された支軸を挿通させ、この支軸をホルダー等に装着するようにしている（例えば、特許文献２参照）。
【先行技術文献】
【特許文献】
【０００３】
【特許文献１】特開平６−１８３６１９号公報
【特許文献２】実開平５−２３９９５号公報
【考案の概要】
【考案が解決しようとする課題】
【０００４】
従来の芯材を備えていないトイレットペーパーロールは以上のように構成されており、ロール中心軸に形成される孔部は概ね一様な径となるように製造されている。
特に、芯無しの利点を生かすためにロール中心軸の孔径を小さくした場合には、専用に構成されたホルダー等を用意する必要がある。
また、上記のように孔径を小さくした場合には、トイレットペーパーロールを使い切った後、補充品を速やかにホルダーへ入れ替え装着することが難しいという問題点があった。
【０００５】
この考案は、上記の課題を解決するためになされたもので、様々なトイレットペーパー用ホルダーに、容易に装着することができる芯無しのトイレットペーパーロールを提供することを目的とする。
【課題を解決するための手段】
【０００６】
この考案に係るトイレットペーパーロールは、芯材を用いることなくトイレットペーパーを巻き取ったトイレットペーパーロールであって、芯材を用いたトイレットペーパーロールよりも内径の小さな貫通孔部をロール中心軸に有し、側面に前記貫通孔部よりも径が大きく同心円となるディンプル部を設けたことを特徴とする。
【０００７】
また、前記ディンプル部は、該芯材を用いていないトイレットペーパーロールをワンタッチ型のトイレットペーパーホルダーに格納したとき、奥端部が前記トイレットペーパーホルダーの支持部材先端と接する深さを有することを特徴とする。
【考案の効果】
【０００８】
この考案によれば、専用に構成されたもの以外のトイレットペーパー用ホルダーへ容易に装着することが可能になり、他のトイレットペーパーロールとの互換性を高めることができる。
【図面の簡単な説明】
【０００９】
【図１】本考案によるトイレットペーパーロールの構成を示す斜視図である。
【図２】図１のトイレットペーパーロールを正面視した説明図である。
【図３】図１のトイレットペーパーロールの加工に用いる治具を示す説明図である。
【図４】図１のトイレットペーパーロールの装着状態を示す説明図である。
【考案を実施するための形態】
【００１０】
以下、この考案の実施の一形態を説明する。
（実施例）
図１は、本考案によるトイレットペーパーロールの構成を示す斜視図である。図示したトイレットペーパーロール１は、トイレットペーパー１１を巻回した後、孔部１２の周囲にすり鉢状のディンプル部１４を形成させたものである。
トイレットペーパーロール１は、厚紙等からなる芯材を用いることなくトイレットペーパー１１を巻回したものである。
また、トイレットペーパーロール１は、例えば、製造する際に径の小さいギザ型マンドレルにトイレットペーパー１１を巻回したものである。
製造工程において上記の巻軸が抜き取られた後、ロール中心軸に形成される孔部１２（貫通孔部）は、前述の厚紙等からなる芯材よりも小さい径となるように形成され、トイレットペーパー１１の巻き取り長さを増加させている。
【００１１】
トイレットペーパーロール１は、いわゆる芯無しトイレットペーパーロールであることから、ロール形状が崩れないように、適当な張力を加えてトイレットペーパー１１を巻き取ったものである。
そのため、トイレットペーパーロール１の側面１３などには、適当な硬さが生じており、例えば、側面１３などを指で押さえた程度では窪みなどの変形が生じない硬度を有している。
【００１２】
図２は、図１のトイレットペーパーロールを正面視した説明図である。孔部１２は、トイレットペーパーロール１の中心軸方向に貫通しており、当該トイレットペーパーロール１の両側の側面１３に開口している。この開口部分には、すり鉢状またはテーパー状のディンプル部１４が形成されている。
なお、孔部１２は、前述のギザ型マンドレルを抜き取った跡に形成されることから、当該ギザ型マンドレルの外径を有し、また内壁外周はギザ型に形成され、前述のように厚紙等の芯材よりも小さい径となっている。
ディンプル部１４の最大径となる縁部１５は、例えばＪＩＳ規格（ＪＩＳ  Ｐ４５０１）による芯の内径（３８ｍｍ）と同じ寸法を有する。
このディンプル部１４は、トイレットペーパー１１の幅中心へ向かって徐々に径が小さくなるように形成され、トイレットペーパーロール１もしくは孔部１２と同心円となるように形成されている。
【００１３】
また、ディンプル部１４は、側面１３からロール中心軸に沿って形成されており、その深さ、即ち、側面１３から鉛直方向にテーパー状またはすり鉢状の底部までの距離は、後述するホルダー２０の支持片２１の長手方向長さと同等である。
縁部１５は、側面１３上において円状に形成されており、ディンプル部１４の壁面は、縁部１５から連続した曲面を形成し、好ましくは滑らかな曲面に形成されている。
また、前述のように、トイレットペーパーロール１は適当な硬度を有するように巻回されていることから、ディンプル部１４の壁面についても上記と同様な硬さを有している。
なお、トイレットペーパーロール１を製造する際にギザ型マンドレルを用いた場合、トイレットパーパー１１の巻き始めの部分にしわ等が生じる。即ち、ディンプル部１４の奥部にしわ等が生じる。
【００１４】
図３は、図１のトイレットペーパーロールの加工に用いる治具を示す説明図である。この図は、トイレットペーパーロール１にディンプル部１４を形成する際に用いる治具１０１，１０２を示したものである。
図３（ａ）は、治具１０１，１０２を側方視したときの外観を示し、図３（ｂ）は、治具１０１を用いてトイレットペーパーロール１にディンプル部１４を設ける加工工程を示している。
治具１０１，１０２は、例えば硬質樹脂等からなり、本体は円筒状で先端部は当該円筒状の軸心を突出させて略円錐状に形成されている。この略円錐状の部分は、すり鉢状またはテーパー状のディンプル部１４と整合する形状をしている。
図３（ａ）に示した治具１０１と治具１０２は、略円錐状先端部の形状が異なっており、トイレットペーパーロール１に形成するディンプル部１４の形状・サイズなどに応じて使い分けるものである。
【００１５】
図３（ｂ）において図示を省略した治具１０１本体の基端部は、例えば押圧機の押圧シリンダなどに固定されており、トイレットペーパーロール１の側面１３から当該トイレットペーパーロール１の中心部分へ向かって押圧を加えるように設置されている。
ディンプル部１４を形成するとき、治具１０１の先端部をトイレットペーパーロール１の孔部１２へ挿入し、ロール中心軸に沿って治具１０１に押圧を加える。
この押圧によって略円錐状の先端部が孔部１２の奥側へ挿入され、側面１３からロール中心部へ向かって孔部１２の内径を拡げてディンプル部１４を形成していく。
なお、治具１０１の基端部等を手で把持し、腕の力などを用いて治具１０１に押圧を加えてトイレットペーパーロール１にディンプル部１４を形成してもよい。
【００１６】
治具１０１，１０２を用いてディンプル部１４を設けるとき、例えば、治具１０２をトイレットペーパーロール１の孔部１２へ押し当てて窪みを形成させておき、この窪みの中央部分、即ち孔部１２へ先端部分を挿入するように治具１０１を押し当てて、任意の深さまでディンプル部１４を形成させる。なお、治具１０１と治具１０２をトイレットペーパーロール１へ押し当てる順番は、上記の順に限定されない。
また、治具１０１と治具１０２のいずれか一方、即ち単一の治具を使用してディンプル部１４を形成してもよい。
図３に例示したディンプル部１４の形成加工は、トイレットペーパーロール１の側方から押圧を加えるものであるが、トイレットペーパーロール１の側面１３から所定部分を切削することによってディンプル部１４を形成してもよい。
また、切削と上記の治具１０１，１０２などを用いた加工を組み合わせてディンプル部１４を形成してもよい。
また、図１〜３に例示したトイレットペーパーロール１は、両側面１３にディンプル部１４を設けているが、いずれか一方の側面１３のみにディンプル部１４を設けるようにしてもよい。
【００１７】
図４は、図１のトイレットペーパーロールの装着状態を示す説明図である。この図は、ワンタッチ型のホルダー２０にトイレットペーパーロール１を装着した状態を表している。
ホルダー２０は、上方向に可倒する支持片２１（支持部材）を、ホルダー２０の図中左右の内壁部分に各々備え、水平状態において各支持片２１の先端が対向するように設置している。
支持片２１は、例えば略棒状あるいは略錐状等に形成されたもので、長手方向においてトイレットペーパー１１の１／２幅よりも短く形成されている。
【００１８】
トイレットペーパーロール１をホルダー２０へ装着するときには、図４（ａ）に示したようにホルダー２０の下方からトイレットペーパーロール１を接近させ、当該トイレットペーパーロール１のロール端部もしくは側面１３に当接させることによって支持片２１を上方へ倒す。
さらにトイレットペーパーロール１を上方へ移動させてホルダー２０の内部へ挿入し、図４（ｂ）に示したように支持片２１の先端部分をディンプル部１４へ挿入させる。
【００１９】
ディンプル部１４に挿入された支持片２１は、ホルダー２０に設けられた機構等によって、上方へ倒れた状態から水平方向に延びた状態に遷移し、ディンプル部１４の奥端部１６もしくは壁部１７に当接してトイレットペーパーロール１を支持する。ディンプル部１４の内壁等は、前述のように適当な硬度を有していることから、トイレットペーパーロール１は回転可能な状態でホルダー２０に設置・格納される。
図４に例示したホルダー２０は、一般的な芯材を用いたトイレットペーパーロールを支持するものである。ここで説明したトイレットペーパーロール１は、内径の小さい孔部１２を有しており、細芯に対応して構成されたホルダーに格納することも可能である。
【００２０】
以上のように本実施例によれば、ワンタッチ型のホルダー２０の支持片２１を挿入するディンプル部１４を設けたので、一般的な内径の芯材を有するトイレットペーパーロールと互換性を備えることができ、細芯等に対応する専用ホルダー以外でも使用（格納）することが可能になる。
また、ディンプル部１４を孔部１２と同心円となるように設けたので、細芯の支持棒等を孔部１２へ挿通し易くすることができる。
また、硬質の厚紙等からなる芯材を備えていないので、トイレットペーパーホルダーに格納して使用するときに、カラカラ音などの発生を抑制することができる。
【符号の説明】
【００２１】
１トイレットペーパーロール
１１トイレットペーパー
１２孔部
１３側面
１４ディンプル部
１５縁部
１６奥端部
１７壁部
２０ホルダー
２１支持片
１０１，１０２治具
【図１】
0003193779.tif 000003
【図２】
0003193779.tif 000004
【図３】
0003193779.tif 000005
【図４】
0003193779.tif 000006